(57)【要約】【課題】同一の識別子を用いる他の基地局が存在する場合であっても、端末装置と確実に接続することができる。【解決手段】無線通信の基地局である電子機器であって、端末装置と無線通信をする無線通信部と、電子機器を識別する識別子を用いて、端末装置との間の無線通信を介したデータの送受信を制御する通信制御部と、無線通信可能な範囲に存在する他の基地局の識別子を探索する探索部と、探索して得られた識別子が、通信制御部に予め設定された初期の識別子と一致する場合、臨時の識別子を通信制御部に設定する設定部と、を備える。【選択図】図４
2015220629.tif 000002
【特許請求の範囲】
【請求項１】
無線通信の基地局である電子機器であって、
端末装置と無線通信をする無線通信部と、
前記電子機器を識別する識別子を用いて、前記端末装置との間の前記無線通信を介したデータの送受信を制御する通信制御部と、
無線通信可能な範囲に存在する他の基地局の識別子を探索する探索部と、
探索して得られた識別子が、前記通信制御部に予め設定された初期の識別子と一致する場合、臨時の識別子を前記通信制御部に設定する設定部と、
を備える電子機器。
【請求項２】
前記設定部は、前記初期の識別子を削除して、前記臨時の識別子を前記通信制御部に設定する
請求項１に記載の電子機器。
【請求項３】
前記設定部は、前記初期の識別子に加えて、前記臨時の識別子を前記通信制御部に設定する
請求項１に記載の電子機器。
【請求項４】
前記設定部は、前記端末装置による前記臨時の識別子を用いたデータの送受信が終了した後、前記初期の識別子を前記通信制御部に設定する
請求項１から３の何れか１項に記載の電子機器。
【請求項５】
前記設定部は、前記電子機器がシャットダウン操作された場合に、前記初期の識別子を前記通信制御部に設定した後、前記電子機器をシャットダウンさせる
請求項１から３の何れか１項に記載の電子機器。
【請求項６】
前記通信制御部は、前記臨時の識別子を前記無線通信によりブロードキャストさせる
請求項１から５の何れか１項に記載の電子機器。
【請求項７】
前記端末装置から前記無線通信を介して送信された画像データを入力し、入力した画像データに応じた映像を投影する投影部をさらに備える
請求項１から６の何れか１項に記載の電子機器。
【請求項８】
前記通信制御部は、識別子およびパスワードを用いて、前記端末装置との間の前記無線通信を介したデータの送受信を制御し、
前記設定部は、前記臨時の識別子およびパスワードを設定するとともに、前記パスワードを前記投影部により投影させる
請求項７に記載の電子機器。
【請求項９】
前記設定部は、前記臨時の識別子およびパスワードを設定するとともに、前記投影部に自動設定用の操作をユーザに促す指示情報を投影させ、
前記通信制御部は、前記自動設定用の操作がされた場合、前記無線通信を介した前記データの送受信を可能とするための設定動作を、前記端末装置に自動実行させるための情報を、前記無線通信によりブロードキャストさせる
請求項７に記載の電子機器。
【請求項１０】
前記識別子は、ＩＥＥＥ８０２．１１規格におけるＳＳＩＤである
請求項１から９の何れか１項に記載の電子機器。
【請求項１１】
無線通信の基地局である電子機器における通信方法であって、
前記電子機器は、
端末装置と無線通信をする無線通信部と、
前記電子機器を識別する識別子を用いて、前記端末装置との間の前記無線通信を介したデータの送受信を制御する通信制御部と、
を備え、
無線通信可能な範囲に存在する他の基地局の識別子を探索する探索ステップと、
探索して得られた識別子が、前記通信制御部に予め設定された初期の識別子と一致する場合、臨時の識別子を前記通信制御部に設定する設定ステップと、
を実行する通信方法。
【発明の詳細な説明】
【技術分野】
【０００１】
本発明は、電子機器および通信方法に関する。
【背景技術】
【０００２】
無線ＬＡＮ（Local  Area  Network）のアクセスポイントの機能を有するプロジェクタが知られている。
【発明の概要】
【発明が解決しようとする課題】
【０００３】
ところで、無線ＬＡＮでは、ＳＳＩＤ（Service  Set  Identifier）と呼ばれる識別子によりアクセスポイントが識別される。しかしながら、複数台のプロジェクタが同時に映像を投影している環境下では、ＳＳＩＤが重複してしまう可能性がある。ＳＳＩＤが重複している場合、ユーザは、端末装置をいずれのプロジェクタと接続させればよいかが分からなくなり、接続操作に手間取ってしまう。
【０００４】
特許文献１には、ネットワーク機器にアドレスを自動で割り当てて、ネットワークに関する知識が少ないユーザであっても簡単な操作で設定をすることができる装置が記載されている。しかしながら、このような装置でも、同一のＳＳＩＤが複数個検出された場合には、ユーザは接続操作をすることができない。
【０００５】
本発明は、上記に鑑みてなされたものであって、同一の識別子を用いる他の基地局が存在する場合であっても、端末装置と確実に接続することができる電子機器および通信方法を提供することを目的とする。
【課題を解決するための手段】
【０００６】
上述した課題を解決し、目的を達成するために、本発明は、無線通信の基地局である電子機器であって、端末装置と無線通信をする無線通信部と、前記電子機器を識別する識別子を用いて、前記端末装置との間の前記無線通信を介したデータの送受信を制御する通信制御部と、無線通信可能な範囲に存在する他の基地局の識別子を探索する探索部と、探索して得られた識別子が、前記通信制御部に予め設定された初期の識別子と一致する場合、臨時の識別子を前記通信制御部に設定する設定部と、を備える。
【発明の効果】
【０００７】
本発明によれば、同一の識別子を用いる他の基地局が存在する場合であっても、端末装置と確実に接続することができる。
【図面の簡単な説明】
【０００８】
【図１】図１は、実施形態に係る投影システムを示す図である。
【図２】図２は、実施形態に係るプロジェクタのハードウェア構成を示す図である。
【図３】図３は、実施形態に係る端末装置のハードウェア構成を示す図である。
【図４】図４は、実施形態に係るプロジェクタの機能構成を示す図である。
【図５】図５は、実施形態に係るプロジェクタの処理順序を示すフローチャートである。
【図６】図６は、実施形態に係るプロジェクタにより投影される画面の第１例を示す図である。
【図７】図７は、実施形態に係るプロジェクタにより投影される画面の第２例を示す図である。
【発明を実施するための形態】
【０００９】
以下、本発明の通信システムの実施の形態として、投影システム１０を説明する。
【００１０】
図１は、実施形態に係る投影システム１０を示す図である。投影システム１０は、複数のプロジェクタ２１（画像投影装置）と、端末装置２２と、複数のスクリーン２３とを備える。
【００１１】
それぞれのプロジェクタ２１は、画像データを入力して、画像データに応じた映像をスクリーン２３に投影する。それぞれのスクリーン２３は、何れかのプロジェクタ２１に対応して設けられる。スクリーン２３は、プロジェクタ２１により投影された光を反射できればどのような部材であってもよい。
【００１２】
端末装置２２は、画像データを出力して、プロジェクタ２１に与える。端末装置２２は、例えば、ノート型のコンピュータ、タブレット端末、スマートフォン等の情報処理を実行するコンピュータであってよい。また、端末装置２２は、画像データを再生する映像再生装置であってもよい。また、端末装置２２は、放送信号または通信信号を受信して、映像データを再生する受信装置であってもよい。
【００１３】
プロジェクタ２１と端末装置２２とは、無線通信により接続される。プロジェクタ２１と端末装置２２とは、一例として、ＩＥＥＥ（Institute  of  Electrical  and  Electronics  Engineers）８０２．１１規格の無線ＬＡＮに従った方式で接続される。また、プロジェクタ２１は、無線通信の基地局（アクセスポイント：親機）である電子機器として機能する。端末装置２２は、無線通信のクライアント（子機）として機能する。プロジェクタ２１と端末装置２２とは、このような無線通信により接続されて、画像データ等を送受信する。なお、プロジェクタ２１は、アクセスポイントの機能が、例えばＵＳＢ（Universal  Serial  Bus）のソケットに機器を接続することにより付加されてもよい。
【００１４】
ここで、無線ＬＡＮにおけるアクセスポイントとクライアントとの接続について説明する。無線ＬＡＮのアクセスポイントは、所定の時間間隔でビーコンと呼ばれる制御信号をブロードキャストする。ビーコンには、例えば、ＳＳＩＤ、利用可能な伝送速度、無線チャネル番号等の情報が含まれる。
【００１５】
アクセスポイントが送信する電波の到達範囲にあるクライアントは、このビーコンを受信することによってアクセスポイントへの接続に必要な情報を取得することができる。または、クライアントは、ビーコンの受信に応じてプローブ要求と呼ばれるアクセスポイントに対する問い合わせを送信し、アクセスポイントからプローブ要求に対して返信されたプローブ応答により、アクセスポイントへの接続に必要な情報を取得することもできる。
【００１６】
クライアントは、このように取得した情報に基づいて、設定されたアクセスポイントを選択し、選択したアクセスポイントとの間で無線接続の認証をする。そして、クライアントは、アクセスポイントとの間で認証が成功すると、以後、データの送受信が可能となる。
【００１７】
図２は、実施形態に係るプロジェクタ２１のハードウェア構成を示す図である。プロジェクタ２１は、システム制御部４１と、投影部４２と、記憶部４３と、外部接続部４４と、有線通信部４５と、無線通信部４６と、表示入力部４７と、操作信号受信部４８と、ファン制御部４９と、ファン５０とを有する。
【００１８】
システム制御部４１は、例えば、ＣＰＵ（Central  Processing  Unit）と、ＲＡＭ（Random  Access  Memory）およびＲＯＭ（Read  Only  Memory）等の周辺回路等を含む。システム制御部４１は、例えば、記憶部４３等に記憶されたプログラムを実行することにより、プロジェクタ２１の全体を制御する。
【００１９】
記憶部４３は、例えば、ＲＡＭ、ＲＯＭおよびフラッシュメモリ等を含む。記憶部４３は、プロジェクタ２１が実行する各種プログラム、投影する画像データ、および各種設定データ等を記憶する。
【００２０】
外部接続部４４は、外部からの映像（画像）データ、例えば、コンピュータからの画像出力信号、映像機器等からのＨＤＭＩ（登録商標）信号、ビデオ信号等を入力するためのインタフェースである。有線通信部４５は、有線ＬＡＮのインタフェースおよびその通信制御部を含む。
【００２１】
無線通信部４６は、無線ＬＡＮのインタフェースおよびその通信制御部を含む。無線通信部４６は、無線ＬＡＮのアクセスポイントの機能を有する。
【００２２】
表示入力部４７は、操作ボタンまたはタッチパネル等を含み、各種情報を表示する。また、表示入力部４７は、操作ボタンまたはタッチパネル等に対するユーザの操作を入力する。操作信号受信部４８は、リモートコントローラからの操作信号を受信して、ユーザの操作を入力する。
【００２３】
ファン制御部４９は、投影部４２およびプロジェクタ２１の全体の温度が所定の温度となるように、ファン５０を制御する。ファン５０は、投影部４２に対して空気を送風して投影部４２およびプロジェクタ２１全体を冷却する。
【００２４】
投影部４２は、光源５１と、光源制御部５２と、カラーホイール５３と、回転検出部５４と、カラーホイール制御部５５と、ＤＭＤ５６（Digital  Mirror  Device）と、ＤＭＤ制御部５７と、投射レンズ５８とを含む。
【００２５】
光源５１は、ランプ、ＬＥＤ（Light  Emitting  Diode）または半導体レーザー等の固体光源等の画像投影用の光源である。光源制御部５２は、光源５１の明るさ、点灯／消灯の制御等を行う。
【００２６】
カラーホイール５３は、例えば、赤、青、緑の３色に色分けされた円板等を高速で回転させ、光源５１からの光を透過させることにより色づけを行う。回転検出部５４は、カラーホイール５３の回転状態を検出する。カラーホイール制御部５５は、カラーホイール５３の回転を制御する。
【００２７】
ＤＭＤ５６は、多数の微小鏡面（マイクロミラー）を平面に配置した表示素子である。ＤＭＤ制御部５７は、投影対象の画像データに応じて画素毎にＤＭＤ５６のマイクロミラーの向きを制御する。投射レンズ５８は、ＤＭＤ５６を通過した光をスクリーンへと投射する。なお、ＤＭＤ５６およびカラーホイール５３は、画像投影用の表示素子の一例であり、例えば、ＬＣＤ（Liquid  Crystal  Display）等の他の表示素子であってもよい。
【００２８】
光源５１から出た光は、カラーホイール５３で色づけされ、画像データによって画素毎に向きが制御されるＤＭＤ５６で反射し、投射レンズ５８を介してスクリーン２３に照射されて像を結ぶ。
【００２９】
図３は、実施形態に係る端末装置２２のハードウェア構成を示す図である。端末装置２２は、表示部６１と、入力部６２と、ＣＰＵ６３と、ＲＯＭ６４と、ＲＡＭ６５と、記憶装置６６と、有線通信部６７と、無線通信部６８とを有する。各部は、バスにより接続される。
【００３０】
表示部６１は、ＬＣＤ（Liquid  Crystal  Display）等の表示装置である。表示部６１は、ＣＰＵ６３からの表示信号に基づいて情報を表示する。入力部６２は、キーボードおよびマウス等のユーザの操作情報を入力する。入力部６２は、入力した操作情報をＣＰＵ６３に供給する。なお、表示部６１および入力部６２は、タッチパネルのような一体的な構成であってもよい。
【００３１】
ＣＰＵ６３は、プログラムを実行してデータ処理および制御等をするプロセッサの一例である。ＣＰＵ６３は、ＲＡＭ６５の所定領域を作業領域として、ＲＯＭ６４または記憶装置６６に予め記憶された各種プログラムとの協働により各種処理を実行し、端末装置２２を構成する各部の動作を統括的に制御する。また、ＣＰＵ６３は、ＲＯＭ６４または記憶装置６６に予め記憶されたプログラムとの協働により、表示部６１、入力部６２、有線通信部６７および無線通信部６８等を制御する。
【００３２】
ＲＯＭ６４は、不揮発性メモリであって、端末装置２２の制御に用いられるプログラムおよび各種情報を記憶する。ＲＡＭ６５は、揮発性のメモリであって、ＣＰＵ６３の作業領域として機能する。
【００３３】
記憶装置６６は、フラッシュメモリ等の半導体による記憶媒体、磁気的または光学的に記録可能な記憶媒体等の書き換え可能な記録装置である。記憶装置６６は、端末装置２２の制御に用いられるプログラムおよび各種情報等を記憶する。
【００３４】
有線通信部６７は、有線ＬＡＮのインタフェースおよびその通信制御部を含む。無線通信部６８は、無線ＬＡＮのインタフェースおよびその通信制御部を含む。無線通信部６８は、無線ＬＡＮのクライアントの機能を有する。
【００３５】
本実施形態の端末装置２２で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００３６】
また、本実施形態の端末装置２２で実行されるプログラムを、インターネット等のネットワークに接続されたコンピュータ上に格納し、ネットワーク経由でダウンロードさせることにより提供するように構成してもよい。また、本実施形態の端末装置２２で実行されるプログラムをインターネット等のネットワーク経由で提供または配布するように構成してもよい。また、本実施形態の端末装置２２で実行されるプログラムを、ＲＯＭ等に予め組み込んで提供するように構成してもよい。
【００３７】
図４は、実施形態に係るプロジェクタ２１の機能構成を示す図である。
【００３８】
プロジェクタ２１のシステム制御部４１は、電源が投入されて、所定のプログラムを起動すると、第１の通信制御部８１と、第１の画像処理部８２と、探索部８３と、設定部８４として機能する。なお、第１の通信制御部８１、第１の画像処理部８２、探索部８３および設定部８４は、一部または全部がハードウェアで構成されていてもよい。
【００３９】
さらに、プロジェクタ２１は、電源が投入されると、投影部４２および第１の無線通信部８５の機能が有効となる。第１の無線通信部８５は、図２に示す無線通信部４６により実現される機能である。すなわち、第１の無線通信部８５は、ＩＥＥＥ８０２．１１規格の無線ＬＡＮの方式で端末装置２２と無線通信をする。
【００４０】
第１の通信制御部８１は、プロジェクタ２１を識別する識別子であるＳＳＩＤを用いて、端末装置２２との間の無線通信を介したデータの送受信を制御する。第１の通信制御部８１は、設定されたＳＳＩＤをビーコン信号に含めて周囲の装置にブロードキャストする。なお、第１の通信制御部８１には、予め設定された初期のＳＳＩＤが設定されている。
【００４１】
第１の画像処理部８２は、端末装置２２から無線通信により受信した画像データに対して画像処理を実行する。第１の画像処理部８２は、一例として、受信したデータを投影部４２により投影可能な形式の画像データに変換する。
【００４２】
投影部４２は、端末装置２２から無線通信を介して送信された画像データを、第１の画像処理部８２から入力し、入力した画像データに応じた映像をスクリーン２３に投影する。
【００４３】
探索部８３は、無線通信可能な範囲に存在する他の基地局（アクセスポイント）のＳＳＩＤを探索する。具体的には、探索部８３は、無線通信可能な範囲に存在する基地局がビーコン信号に含めて送信したＳＳＩＤを探索する。
【００４４】
設定部８４は、探索部８３が探索して得られたＳＳＩＤが、第１の通信制御部８１に予め設定された初期のＳＳＩＤと一致する場合、臨時のＳＳＩＤを第１の通信制御部８１に設定する。第１の通信制御部８１は、臨時のＳＳＩＤが設定されると、設定された臨時のＳＳＩＤをビーコン信号に含めて周囲の装置にブロードキャストする。
【００４５】
設定部８４は、一例として、初期のＳＳＩＤを削除して、臨時のＳＳＩＤを第１の通信制御部８１に設定する。これに代えて、設定部８４は、初期のＳＳＩＤに加えて、臨時のＳＳＩＤを第１の通信制御部８１に設定してもよい。
【００４６】
また、設定部８４は、端末装置２２による臨時のＳＳＩＤを用いたデータの送受信が終了した後、臨時のＳＳＩＤに代えて初期のＳＳＩＤを第１の通信制御部８１に設定する。なお、この場合、設定部８４は、初期のＳＳＩＤに加えて、臨時のＳＳＩＤを第１の通信制御部８１に設定していた場合には、臨時のＳＳＩＤを削除する。
【００４７】
端末装置２２のＣＰＵ６３は、画像処理プログラムを実行することにより、第２の画像処理部９１として機能する。さらに、ＣＰＵ６３は、無線通信を実行するためのドライバプログラムを実行することにより、第２の通信制御部９２として機能する。なお、第２の画像処理部９１および第２の通信制御部９２の一部または全部がハードウェアにより構成されていてもよい。
【００４８】
端末装置２２は、電源が投入されて無線通信の機能がオンとされると、第２の無線通信部９３の機能が有効となる。第２の無線通信部９３は、図３に示す無線通信部６８により実現される機能である。すなわち、第２の無線通信部９３は、ＩＥＥＥ８０２．１１規格の無線ＬＡＮの方式でプロジェクタ２１と無線通信をする。
【００４９】
第２の画像処理部９１は、プロジェクタ２１へと送信すべき画像データを生成して、第２の通信制御部９２へと出力する。第２の画像処理部９１は、一例として、画像データを伝送可能な形式に変換して第２の通信制御部９２へと出力する。
【００５０】
第２の通信制御部９２は、プロジェクタ２１を識別するＳＳＩＤを用いて、プロジェクタ２１との間の無線通信を介したデータの送受信を制御する。この場合において、第２の通信制御部９２は、無線通信可能な範囲の基地局からのビーコン信号に含まれるＳＳＩＤのうちユーザにより選択されたＳＳＩＤを用いてプロジェクタ２１との間で無線通信をする。
【００５１】
図５は、実施形態に係るプロジェクタ２１の処理順序を示すフローチャートである。プロジェクタ２１は、端末装置２２と無線通信により接続して映像を投影する場合、図５に示す処理を実行する。
【００５２】
まず、ステップＳ１１において、探索部８３は、無線通信可能な範囲に存在する他の基地局のＳＳＩＤを探索する。続いて、ステップＳ１２において、設定部８４は、探索して得られたＳＳＩＤが、第１の通信制御部８１に予め設定された初期のＳＳＩＤと一致するか否かを判断する。一致しない場合（ステップＳ１２のＮｏ）、設定部８４は、処理をステップＳ１６に進める。一致する場合（ステップＳ１２のＹｅｓ）、設定部８４は、処理をステップＳ１３に進める。
【００５３】
ステップＳ１３において、設定部８４は、臨時のＳＳＩＤを生成する。臨時のＳＳＩＤは、少なくとも初期のＳＳＩＤとは異なる値のＳＳＩＤである。続いて、ステップＳ１４において、設定部８４は、生成した臨時のＳＳＩＤを第１の通信制御部８１に設定する。続いて、ステップＳ１５において、第１の通信制御部８１は、設定された臨時のＳＳＩＤを公開する。ここで、公開とは、例えば、臨時のＳＳＩＤをビーコン信号に含めてブロードキャストし、無線通信可能な範囲に存在する端末装置２２に臨時のＳＳＩＤを通知する処理である。
【００５４】
続いて、ステップＳ１６において、第１の通信制御部８１は、端末装置２２との間で設定されたＳＳＩＤを用いて無線通信を接続する。すなわち、第１の通信制御部８１は、探索して得られたＳＳＩＤが、初期のＳＳＩＤと一致する場合には、臨時のＳＳＩＤを用いて無線通信を接続する。第１の通信制御部８１は、探索して得られたＳＳＩＤが初期のＳＳＩＤと一致しない場合には、初期のＳＳＩＤを用いて無線通信を接続する。これにより、プロジェクタ２１と端末装置２２との間でネットワーク接続がされ、データの送受信が可能となる。
【００５５】
続いて、ステップＳ１７において、第１の画像処理部８２は、端末装置２２から無線通信を介して送信された画像データの受信を開始する。続いて、ステップＳ１８において、投影部４２は、端末装置２２から送信された画像データに応じた映像のスクリーン２３への投影を開始する。
【００５６】
続いて、ステップＳ１９において、設定部８４は、端末装置２２との間のＳＳＩＤを用いたデータの送受信が終了したか否かを判断する。データの送受信が終了していない場合には（ステップＳ１９のＮｏ）、設定部８４は、ＳＳＩＤの設定を変更せずに、ステップＳ１９で処理を待機する。
【００５７】
端末装置２２との間のＳＳＩＤを用いたデータの送受信が終了した場合（ステップＳ１９のＹｅｓ）、設定部８４は、処理をステップＳ２０に進める。そして、ステップＳ２０において、設定部８４は、第１の通信制御部８１のＳＳＩＤを元に戻す。すなわち、設定部８４は、第１の通信制御部８１に臨時のＳＳＩＤを設定していた場合には、元々設定されている初期のＳＳＩＤを設定する。そして、ステップＳ２０の処理を終えると、設定部８４は、本フローを終了する。
【００５８】
なお、設定部８４は、プロジェクタ２１がシャットダウン操作された場合に、臨時のＳＳＩＤに代えて初期のＳＳＩＤを第１の通信制御部８１に設定してもよい。この場合、設定部８４は、初期のＳＳＩＤを設定した後、シャットダウンさせる。
【００５９】
図６は、実施形態に係るプロジェクタ２１により投影される画面の第１例を示す図である。第１の通信制御部８１は、ＳＳＩＤおよびパスワードを用いて、端末装置２２との間の無線通信を介したデータの送受信を制御してもよい。この場合、設定部８４は、臨時のＳＳＩＤおよびパスワードを第１の通信制御部８１に設定するとともに、図６に示すように、パスワードを投影部４２により投影させる。これにより、プロジェクタ２１は、他者の機器からのアクセスを拒絶することができる。
【００６０】
図７は、実施形態に係るプロジェクタ２１により投影される画面の第２例を示す図である。第１の通信制御部８１は、ＷＰＳ（ワイファイ・プロテクテッド・セットアップ）と呼ばれる、無線通信を介したデータの送受信を可能とするための設定動作を、端末装置２２に自動実行させる機能を有していてもよい。
【００６１】
この場合、設定部８４は、臨時のＳＳＩＤおよびパスワードを第１の通信制御部８１に設定するとともに、図７に示されるように、投影部４２に自動設定用の操作をユーザに促す指示情報を投影させる。本例の場合であれば、リターンキーの押下を促す指示情報を投影させる。
【００６２】
そして、第１の通信制御部８１は、自動設定用の操作がされた場合（本例の場合、リターンキーが押された場合）、無線通信を介したデータの送受信を可能とするための設定動作を端末装置２２に自動実行させるための情報を、無線通信によりブロードキャストさせる。これにより、プロジェクタ２１は、端末装置２２のユーザに複雑な操作をさせることなく、端末装置２２に無線通信を介したデータの送受信のための設定をさせることができる。
【００６３】
以上のように本実施形態に係る投影システム１０は、プロジェクタ２１において、周囲の基地局が使用しているＳＳＩＤの探索を行い、自身が用いているＳＳＩＤが周囲の基地局が使用しているＳＳＩＤと一致する場合には、臨時のＳＳＩＤを用いて無線通信を接続する。従って、本実施形態に係る投影システム１０によれば、例えば、プロジェクタ２１の無線通信可能な範囲に、同一のＳＳＩＤを発信する他の基地局が存在する場合であっても、端末装置２２を確実に目的のプロジェクタ２１へと接続させることができる。
【００６４】
本発明のいくつかの実施形態を説明したが、これらの実施形態は、例として提示したものであり、発明の範囲を限定することは意図していない。これら新規な実施形態は、その他の様々な形態で実施されることが可能である。
【符号の説明】
【００６５】
１０  投影システム
２１  プロジェクタ
２２  端末装置
２３  スクリーン
４１  システム制御部
４２  投影部
４３  記憶部
４４  外部接続部
４５  有線通信部
４６  無線通信部
４７  表示入力部
４８  操作信号受信部
４９  ファン制御部
５０  ファン
５１  光源
５２  光源制御部
５３  カラーホイール
５４  回転検出部
５５  カラーホイール制御部
５６  ＤＭＤ
５７  ＤＭＤ制御部
５８  投射レンズ
６１  表示部
６２  入力部
６３  ＣＰＵ
６４  ＲＯＭ
６５  ＲＡＭ
６６  記憶装置
６７  有線通信部
６８  無線通信部
８１  第１の通信制御部
８２  第１の画像処理部
８３  探索部
８４  設定部
８５  第１の無線通信部
９１  第２の画像処理部
９２  第２の通信制御部
９３  第２の無線通信部
【先行技術文献】
【特許文献】
【００６６】
【特許文献１】特開２００３−３４８１１６号公報
【図１】
2015220629.tif 000003
【図２】
2015220629.tif 000004
【図３】
2015220629.tif 000005
【図４】
2015220629.tif 000006
【図５】
2015220629.tif 000007
【図６】
2015220629.tif 000008
【図７】
2015220629.tif 000009